(57)【要約】      （修正有）【課題】免震構造を備えると共に、振動を効率的にブリッスルに伝え、かつ、免震構造が電気周りの防水を兼用し、しかも、ブリッスルが堅固に直立すると共にその先端部は柔軟性を有するブラッシング効果及びマッサージ効果の優れた電動ヘアーブラシを提供する。【解決手段】電動ヘアーブラシＡは、電池収納部１０、ケーシング５０、及び、電池収納部の下部とケーシングの上部とをそれぞれ連結する中間連結部４０とを備え、電池収納部の内部には、電池ボックス２０と、電池ボックスと結線された電源スイッチ３０とを備え、ケーシングには、ケーシング内に内蔵される駆動部を設けた振動基台６０がケーシングに対して防振ゴム７０を介して取り付けられ、駆動部８０は、電池ボックス及び電源スイッチと結線され、駆動部が駆動することにより振動する振動子８５を有し、振動基台には、着脱可能に又は固定してブリッスル１００が取り付けられる。【選択図】図５
2010035807.tif 000002
【特許請求の範囲】
【請求項１】
電池収納部、ケーシング、及び、該電池収納部の下部とケーシングの上部とをそれぞれ連結する中間連結部とを備え、
前記電池収納部の内部には、電池ボックスと、該電池ボックスと結線された電源スイッチとを備え、
前記ケーシングには、ケーシング内に内蔵される駆動部を設けた振動基台がケーシングに対して防振ゴムを介して取り付けられ、
前記駆動部は、前記電池ボックス及び電源スイッチと結線され、駆動部が駆動することにより振動する振動子を有し、
前記振動基台には、着脱可能に又は固定してブリッスルが取り付けられてなることを特徴とする電動ヘアーブラシ。
【請求項２】
防振ゴムが上下の開口部以外は水密空間を形成する中空部を有し、該中空部の上部開口部がケーシングに対して防水構造になるように取り付けられ、また、該中空部の下部開口部が振動基台に対して防水構造でかつケーシングに対しフリーな状態になるように取り付けられ、該中空部の水密空間内に駆動部が内蔵されることを特徴とする請求項１に記載の電動ヘアーブラシ。
【請求項３】
電池収納部内部は、電池収納部外部に対して防水構造であり、電池収納部には、電池ボックスに対して電池を出し入れするための開閉蓋が閉蓋時には水密になるように取着され、電池収納部外からの押圧により電源スイッチのＯＮとＯＦＦが切り替えられるように構成されることを特徴とする請求項１又は２に記載の電動ヘアーブラシ。
【請求項４】
ブリッスルが、突起状のブリッスル幹部を備えた硬質樹脂材料からなるブリッスル基板と、前記ブリッスル幹部の先端部から突出し、軟質樹脂材料からなるブリッスル先端部を備えたブリッスル本体とからなることを特徴とする請求項１又は２に記載の電動ヘアーブラシ。
【発明の詳細な説明】
【技術分野】
【０００１】
本発明は、ブラッシングをしながら頭のマッサージを行うことができる電動ヘアーブラシに関する。
【背景技術】
【０００２】
従来より下記特許文献１〜４に示されるような電動ブラシが知られている。特許文献１及び２に示される電動ブラシは、把柄部が長軸のものであって、その先端にブリッスルが取り付けられるものであり、把柄部の軸方向に対し、ブリッスルの軸方向が直交するものである。また、特許文献３及び４には、ブリッスルの上方に把柄部が設けられてなるものである。
【特許文献１】特開２００１−２５８９７４号公報
【特許文献２】実用新案登録第２５７０９９０号公報
【特許文献３】特許第３９９１３６０号公報
【特許文献４】特開２００４−６５９１４号公報
【発明の開示】
【発明が解決しようとする課題】
【０００３】
しかしながら、特許文献１及び２に示される電動ブラシは、電動ブラシが一方向に長くなってしまって収納しづらいという欠点があると共に、把柄部を握ってブリッスルを頭皮等に押しつけても把柄部の長さ分だけ頭皮に加える力が減少するので、力が効果的に頭皮に加わらないという不便が生じ使いづらい欠点がある。また、特許文献３及び４に示される電動ブラシは、把柄部に対する免震が考慮されておらず、電動ブラシから発生する振動が頭皮に対するのと同程度の振動又は大きい振動が把柄部を握る手に伝わり、不快感を覚えさせるものである。また、電気周りの防水についても十分でないものであった。
【０００４】
そこで、本発明者は、上記の問題点に鑑み、電動ヘアーブラシから発生する振動が電動ヘアーブラシを把持する手に伝わるのを極力抑制する免震構造を備えると共に、振動を効率的にブリッスルに伝え、かつ、該免震構造が電気周りの防水を兼用し、しかも、ブリッスルが堅固に直立すると共にその先端部は柔軟性を有する電動ヘアーブラシを開発した。
【課題を解決するための手段】
【０００５】
本発明に係る電動ヘアーブラシは、電池収納部、ケーシング、及び、該電池収納部の下部とケーシングの上部とをそれぞれ連結する中間連結部とを備え、前記電池収納部の内部には、電池ボックスと、該電池ボックスと結線された電源スイッチとを備え、前記ケーシングには、ケーシング内に内蔵される駆動部を設けた振動基台がケーシングに対して防振ゴムを介して取り付けられ、前記駆動部は、前記電池ボックス及び電源スイッチと結線され、駆動部が駆動することにより振動する振動子を有し、前記振動基台には、着脱可能に又は固定してブリッスルが取り付けられなることを特徴とするものである。
【０００６】
上記のように構成したことにより、電池ボックスに電池を入れて電源スイッチをＯＮにすれば、駆動部の駆動と共に振動子が振動し、この振動が駆動部を設けた振動基台を通じてブリッスルには直接伝わるが、ケーシングは駆動部を設けた振動基台に対して防振ゴムを介して連結されているので、ケーシング、ケーシングに連結されている中間連結部及び電池収納部には駆動部から発生する振動が免震されて伝わると共に、振動を効率的にブリッスルに伝えることができる。
【０００７】
また、上記の構成に加え、防振ゴムが上下の開口部以外は水密空間を形成する中空部を有し、該中空部の上部開口部がケーシングに対して防水構造でかつケーシングに対しフリーな状態になるように取り付けられ、また、該中空部の下部開口部が振動基台に対して防水構造になるように取り付けられ、該中空部の水密空間内に駆動部が内蔵される構成としてもよい。
【０００８】
上記のように構成したことにより、上記の防振ゴムによるケーシングに対する免震作用及びブリッスルに対する効率的な振動の付与に加え、駆動部及び電気的に接続する配線がコンパクトであり簡単な構造で防水状態になるように配設される。
【０００９】
さらにまた、上記の構成に加え、電池収納部内部は、電池収納部外部に対して防水構造であり、電池収納部には、電池ボックスに対して電池を出し入れするための開閉蓋が閉蓋時には水密になるように取着されており、電池収納部外からの押圧により電源スイッチのＯＮとＯＦＦが切り替えられるように構成される構成としてもよい。
【００１０】
上記のように構成したことにより、電池ボックス、電源スイッチ、駆動部及びこれらを電気的に接続する配線が防水状態になるように配設される。
【００１１】
また、上記の構成に加え、ブリッスルが、突起状のブリッスル幹部を備えた硬質樹脂材料からなるブリッスル基板と、前記ブリッスル幹部の先端部から突出し、軟質樹脂材料からなるブリッスル先端部を備えたブリッスル本体とからなる構成としてもよい。
【００１２】
上記のように構成したことにより、上記の防振ゴムによる免震作用及び防水構造に加え、ブリッスルが、その基部が硬質であることにより堅固に直立すると共に、先端部が軟質であることにより柔軟性を有するので、頭皮に適度な振動を付与すると共に頭皮を過度に刺激せず、快適なブラッシング効果が得られる。
【発明の効果】
【００１３】
以上のように本発明に係る電動ヘアーブラシは、コンパクトでかつ簡単な構造であって、電動ヘアーブラシから発生する振動が電動ヘアーブラシを把持する手に伝わるのを極力抑制することができ、振動を効率的にブリッスルに伝えることができる。また、防水が完全であるため洗髪用ヘアーブラシとしても申し分なく使用でき、しかも、頭皮に対して過度に刺激を与えず、かつ、適度の振動を付与すると共に優れたブラッシング効果及びマッサージ効果を得ることができる。
【発明を実施するための最良の形態】
【００１４】
次に本発明の好適な実施例を添付の図面に基づいて詳細に説明する。
【実施例１】
【００１５】
図１は本実施例に係る電動ヘアーブラシを上方から見た斜視図であり、図２は本実施例に係る電動ヘアーブラシを下方から見た斜視図であり、図３は本実施例に係る電動ヘアーブラシの正面図であり、図４は図３におけるＩＶ−ＩＶ線断面図であり、図５は本実施例に係る電動ヘアーブラシの分解断面斜視図であり、図６は本実施例に係る電動ヘアーブラシにおける防振ゴム周辺の分解断面斜視図である。
【００１６】
図１〜図３において、Ａは電動ヘアーブラシを示し、１０は円盤状の形態をなす電池収納部であり、５０は半球状のケーシングであり、４０は電池収納部１０の下部とケーシング５０の上部とを水密に連結する中間連結部である。なお、この場合の水密に連結するとは、電池収納部１０の下部とケーシング５０の上部とその間の中間連結部４０とを一体成形するか、接着剤により隙間なく接着することにより電池収納部１０、ケーシング５０及び中間連結部４０の各内部に中間連結部４０の連結箇所から水分が侵入しないように構成することである。そして、該中間連結部４０は円盤状の電池収納部１０と半球状のケーシング５０と間においてくびれた形状をなしており、電動ヘアーブラシＡを操作する際には、円盤状の電池収納部１０を手で掴んで把持するか、くびれ状の中間連結部４０を指の間に挟んで把持する。ケーシング５０には、振動基台６０が設けられており、振動基台６０にはブリッスル１００が着脱自在に嵌め込まれている。なお、ブリッスル１００は振動基台６０に対して固定的に取着されていてもよい。
【００１７】
図４及び図５に示すように、前記電池収納部１０は中間連結部４０と中空状に連通する受け皿型の容器部１１と開閉蓋１２とから形成され、その内部に電池ボックス２０及び該電池ボックス２０と結線された電源スイッチ３０とが設けられており、該電池収納部１０の内部は電池収納部外部に対して防水構造になっている。すなわち該電池収納部１０には、電池ボックス２０に対して電池を出し入れするために設けた開閉蓋１２は、その内周面のネジと容器部１１の外周部のネジとを螺合させて閉蓋するように構成されており、該開閉蓋１２の内奥周縁には弾性環状パッキン１３が嵌め込まれていて、開閉蓋１２を容器部１１に対して閉蓋すると、容器部１１の頂部１１ａと環状パッキン１３とが圧接されることにより、容器部１１と開閉蓋１２との間の隙間がなくなって水密状態となる。また、開閉蓋１２の頂部には円形穴が形成され、該円形穴は円形樹脂シート１４により封止されており、後述する電源スイッチ３０の操作を可能にしている。電池ボックス２０は、円盤状をなしていて電池収納部１０の容器部１１にビス２０ａにより固定され、その中央部を除く両側に電池収納用溝２１，２２が設けられており、電池収納用溝２１，２２の長手方向の両端部には接電端子２１ａ，２１ｂ，２２ａ，２２ｂが設けられていて、該電池収納用溝２１，２２に電池Ｂを収納すると、電池Ｂの正極及び負極が各接電端子２１ａ，２１ｂ，２２ａ，２２ｂに接触するようになっている。なお、電池ボックス２０において電池収納用溝２１，２２の両側に設けた凹み２３は電池を電池ボックス２０から取り出しやすくするためのものである。電源スイッチ３０は、電池ボックス２０に組み込まれていて、電池ボックス２０の中央部において突出する押し下げレバー３１を備え、押し下げレバー３１を押圧することにより、ＯＮとＯＦＦとが交互に入れ替わる構造のものである。前記押し下げレバー３１の頂部は開閉蓋１２に設けた円形樹脂シート１４の下面に近接しており、該円形樹脂シート１４を押圧することにより押し下げレバー３１が押圧されて、電源スイッチ３０のＯＮとＯＦＦとが切り替えられるようになっている。電源スイッチ３０の一方の接点は前記電池ボックス２０における接電端子と結線（不図示）されている。
【００１８】
中間連結部４０は、ケーシング５０と連通する中空筒状になっており、その内部には、前記電池ボックス２０及び電源スイッチ３０と後述する駆動部であるモータ８０とを結線する配線ａ，ｂが通されている。
【００１９】
ケーシング５０は、中間連結部４０と連通する孔５１を有し、下方に向けて拡開する半球状をなすものである。ケーシング５０には、その内部に、前述したように振動基台６０が設けられており、該振動基台６０は円盤状をなしており、その中央部には防振ゴム７０を挿通するための孔６１が形成されている。
【００２０】
また、図４及び図５に示すように、該振動基台６０は、防振ゴム７０を介してケーシング５０に取り付けられている。すなわち、防振ゴム７０は、図６に示すように、上下が開口し、上下の開口部７２，７３以外は水密空間を形成する中空部７１を有する円筒状をなしており、上部開口部７２の周縁には上部フランジ７２ａが延設され、下部開口部７３の周縁には下部フランジ７３ａが延設されており、防振ゴム７０の外側面部７０’は蛇腹状の凹凸面にて構成されている。そして、該防振ゴム７０は、防振ゴム７０の中空部７１とケーシング５０の孔５１とが連通するように、防振ゴム７０の上部フランジ７２ａをリング状弾性パッキン５２を介してケーシング５０の内上面にあてがい、上部フランジ７２ａの上に押さえリング５３を重ねてビス５４により固定する。この固定によりケーシング５０と防振ゴム７０の上部フランジ７２ａとがリング状弾性パッキン５２により防水構造となる。該振動基台６０の孔６１に防振ゴム７０を挿通し、防振ゴム７０の下部フランジ７３ａを、リング状弾性パッキン６２を介して振動基台６０の裏面における孔６１の周囲に位置するようにあてがい、下部フランジ７３ａの上にリング状弾性パッキン６２’を介して押さえ円板６３を重ねてビス６４により固定する。この固定によりケーシング５０と防振ゴム７０の下部フランジ７３ａとがリング状弾性パッキン６２，６２’により防水構造となる。このように、ケーシング５０は防振ゴム７０の上部フランジ７２ａに直接固定され、振動基台６０は防振ゴム７０の下部フランジ７３ａに直接固定されているので、ケーシング５０は、振動発生源であるモータ８０が取り付けられている振動基台６０に、防振ゴム７０を介してフリーな状態で接続されることになる。したがって、モータ８０の振動がケーシング５０に対して免震されて伝わるので、ケーシング５０と連結し、電動ヘアーブラシＡを把持する部分となる電池収納部１０や中間連結部４０に伝わる振動が微弱なものとなり、従来の電動ヘアーブラシがもたらす手に対する不快感が解消され、ブラッシング操作が快適に行える効果がある。一方、振動基台６０には、振動発生源であるモータ８０が直接取り付けられているので、頭皮に対して効率的に振動を付与するブラッシング効果が達成できると共に、十分なマッサージ効果が得られるという利点がある。また、防振ゴム７０の中空部７１が防水構造となり、該中空部７１に連通する中間連結部４０の内部及び電池収納部１０の内部が全て防水構造となる。
【００２１】
また、防振ゴム７０の中空部７１内には回転軸８１が下向きになるようにモータ８０が収納されており、該モータ８０はモータ８０にビス８２によりビス止めされた取り付け用枠体８３を介して押さえ円板６３にビス８４により固定されている。該モータ８０の回転軸８１には、回転軸８１に対して偏心した位置に錘８５が振動子として取り付けられており、モータ８０が回転すれば錘８５の回転によりモータ８０が振動し、この振動は押さえ板６３を通じて振動基台６０に伝わるようになっている。
【００２２】
前記振動基台６０には、前述したようにブリッスル１００が着脱自在に嵌め込まれており、該ブリッスル１００は、振動基台６０に嵌め込む円盤状のブリッスル基板１０１と、ブリッスル本体１０２とからなり、ブリッスル本体１０２は、ブリッスル基板１０１上に形成された突起状の複数のブリッスル幹部１０３と、ブリッスル幹部１０３の先端部から突出形成されたブリッスル先端部１０４とからなる。該ブリッスル基板１０１とブリッスル幹部１０３とは硬質樹脂材料より一体形成され、ブリッスル幹部１０３には軸方向に貫通孔１０５が形成されており、ブリッスル基板１０１側から該貫通孔１０５に軟質樹脂材料を充填し、貫通孔１０５から流出する軟質合成樹脂を二重成形又は同時成形等の型成形によりブリッスル先端部１０４を形成している。該ブリッスル先端部１０４は先細の円錐形であって、先端が丸く形成されている。したがって、ブリッスル先端部１０４に対して、これを倒す方向に力が加わっても、ブリッスル幹部１０３により倒れることがなく、また、頭皮に接触するブリッスル先端部１０４は軟質合成樹脂よりなる柔軟性を有するものであり、かつ、その先端が丸く形成されているので、ブリッスル先端部１０４を頭皮に強く押しつけても過度に刺激が加わることがない。
【００２３】
本実施例における電動ヘアーブラシＡは、上記のように構成したことにより、電池ボックス２０に電池Ｂを入れて電源スイッチ３０をＯＮにすれば、モータ８０の回転と共に錘８５が回転して振動し、振動基台６０はケーシング５０に直接固定されているので、この振動がモータ８０を設けた振動基台６０を通じてブリッスル１００には直接伝わるが、ケーシング５０はモータ８０を設けた振動基台６０に対して防振ゴム７０を介して連結されているので、ケーシング５０、ケーシング５０に連結されている中間連結部４０及び電池収納部１０にはモータ８０から発生する振動が免震されて伝わることになる。したがって、中間連結部４０又は電池収納部１０のいずれを把持しても手に対する振動が緩和されることになる。また、本実施例における電動ヘアーブラシＡは、電池ボックス２０、電源スイッチ３０、モータ８０及びこれらを電気的に接続する配線が防水状態になるので、洗髪用ブラシとして申し分なく使用できる。
【００２４】
また、本実施例に係る電動ヘアーブラシＡは、ブリッスル１００が、その基部であるブリッスル幹部１０３が硬質であることにより堅固に直立すると共に、ブリッスル先端部１０４が軟質であることにより柔軟性を有するので、頭皮に適度な振動を付与すると共に頭皮を過度に刺激せず、快適なブラッシング効果及びマッサージ効果が得られる。
【図面の簡単な説明】
【００２５】
【図１】本実施例に係る電動ヘアーブラシを上方から見た斜視図である。
【図２】本実施例に係る電動ヘアーブラシを下方から見た斜視図である。
【図３】本実施例に係る電動ヘアーブラシの正面図である。
【図４】図３におけるＩＶ−ＩＶ線断面図である。
【図５】本実施例に係る電動ヘアーブラシの分解断面斜視図である。
【図６】本実施例に係る電動ヘアーブラシにおける防振ゴム周辺の分解断面斜視図である。
【符号の説明】
【００２６】
Ａ・・・・電動ヘアーブラシ        Ｂ・・・・電池
ａ・・・・配線                    ｂ・・・・配線
１０・・・電池収納部              １１・・・容器部
１１ａ・・容器部の頂部            １２・・・開閉部
１３・・・弾性環状パッキン        １４・・・円形樹脂シート
２０・・・電池ボックス            ２０ａ・・ビス
２１・・・電池収納用溝
２１ａ・・接電端子                ２１ｂ・・接電端子
２２・・・電池収納用溝            ２２ａ・・接電端子
２２ｂ・・接電端子                ２３・・・凹み
３０・・・電源スイッチ            ３１・・・押し下げレバー
４０・・・中間連結部
５０・・・ケーシング              ５１・・・ケーシングの孔
５２・・・リング状弾性パッキン    ５３・・・押さえリング
５４・・・ビス
６０・・・振動基台                ６１・・・振動基台の孔
６２・・・リング状弾性パッキン    ６２’・・リング状弾性パッキン
６３・・・押さえ円板              ６４・・・ビス
７０・・・防振ゴム                ７０’・・防振ゴムの外側面部
７１・・・防振ゴムの中空部        ７２・・・防振ゴムの上部開口部
７３・・・防振ゴムの下部開口部    ７２ａ・・防振ゴムの上部フランジ
７３ａ・・防振ゴムの下部フランジ
８０・・・モータ                  ８１・・・回転軸
８２・・・ビス                    ８３・・・取り付け用枠体
８４・・・ビス                    ８５・・・錘
１００・・ブリッスル              １０１・・ブリッスル基板
１０２・・ブリッスル本体          １０３・・ブリッスル幹部
１０４・・ブリッスル先端部        １０５・・ブリッスル幹部の貫通孔
【図１】
2010035807.tif 000003
【図２】
2010035807.tif 000004
【図３】
2010035807.tif 000005
【図４】
2010035807.tif 000006
【図５】
2010035807.tif 000007
【図６】
2010035807.tif 000008